(57)【要約】【課題】デッキ下への適度な採光と通風とを可能とすることで、デッキ下が暗くなりすぎず、かつ、夏の強い日差しや雨風が入り込みにくくすることができるバルコニーを提供する。【解決手段】少なくとも前桁１４側の一部に配設されて通風可能な通風部２０と、前記通風部２０とは異なる床材で形成されて遮光性を備えた遮光部２５と、を組み合わせて床面を構成した。また、前記通風部２０と前記遮光部２５との境界付近の下部には樋２７ａを設けた。【選択図】図１
2014070331.tif 000002
【特許請求の範囲】
【請求項１】
建物躯体の側部に張り出して設けられるバルコニーであって、
床面が、少なくとも前桁側の一部に配設されて通風可能な通風部と、前記通風部とは異なる床材で形成されて遮光性を備えた遮光部と、を組み合わせて構成され、
前記通風部と前記遮光部との境界付近の下部に樋を設けたことを特徴とする、バルコニー。
【請求項２】
前記通風部は複数の柱状床材を所定間隔を設けて配置したものであり、前記柱状床材は上部よりも下部の幅が小さく形成されていることを特徴とする、請求項１記載のバルコニー。
【請求項３】
前記通風部または前記遮光部のいずれかを構成する床材と根太との間にスペーサを設け、前記通風部と前記遮光部との上面高さを揃えたことを特徴とする、請求項１又は２記載のバルコニー。
【発明の詳細な説明】
【技術分野】
【０００１】
この発明は、建物躯体の側部に張り出して設けられるバルコニーに関する。
【背景技術】
【０００２】
住宅の２階部分にバルコニーデッキを設ける場合において、床部分には木製や樹脂製の床材が用いられることが一般である。
【０００３】
しかしながら、木製や樹脂製の床材を使用した場合、デッキ下が暗くなるという問題があり、特にサイズの大きいデッキを設けた場合には、デッキ下の一階居室部分において十分な採光ができず、暗くなってしまうという問題があった。
【０００４】
こうした問題を解消するために、特許文献１には、住宅の二階部分から突出して設けるデッキの床の部分に光風透過性のグレーティング板を用いた構成が開示されている。この特許文献１記載の構成によれば、デッキ下に光が注ぐように構成できるため、デッキ下が暗くなる問題を回避することができる。
【先行技術文献】
【特許文献】
【０００５】
【特許文献１】特開２０００−１０４３３２号公報
【発明の概要】
【発明が解決しようとする課題】
【０００６】
しかし、上記した特許文献１記載の構成では、一階居室への通風や採光は可能となるものの、逆に日差しや雨を遮るものがないために、夏の強い日差しが入ってきたり、雨風が吹き込むといった問題があった。
【０００７】
そこで、本発明は、デッキ下への適度な採光と通風とを可能とすることで、デッキ下が暗くなりすぎず、かつ、夏の強い日差しや雨風が入り込みにくくすることができるバルコニーを提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載のバルコニーは、建物躯体の側部に張り出して設けられるバルコニーであって、床面が、少なくとも前桁側の一部に配設されて通風可能な通風部と、前記通風部とは異なる床材で形成されて遮光性を備えた遮光部と、を組み合わせて構成され、前記通風部と前記遮光部との境界付近の下部に樋を設けたことを特徴とする。
【００１１】
（請求項２）
請求項２に記載の発明は、上記した請求項１記載の発明の特徴点に加え、以下の点を特徴とする。
【００１２】
すなわち、前記通風部は複数の柱状床材を所定間隔を設けて配置したものであり、前記柱状床材は上部よりも下部の幅が小さく形成されていることを特徴とする。
【００１３】
（請求項３）
請求項３に記載の発明は、上記した請求項１又は２記載の発明の特徴点に加え、以下の点を特徴とする。
【００１４】
すなわち、前記通風部または前記遮光部のいずれかを構成する床材と根太との間にスペーサを設け、前記通風部と前記遮光部との上面高さを揃えたことを特徴とする。
【発明の効果】
【００１５】
請求項１に記載の発明は上記の通りであり、床面が、少なくとも前桁側の一部に配設されて通風可能な通風部と、前記通風部とは異なる床材で形成されて遮光性を備えた遮光部と、を組み合わせて構成されているため、前桁側の通風部で適度な採光と通風とを可能とするとともに、躯体側の遮光部で日差しや雨風を防ぐことができる。よって、デッキ下が暗くなりすぎず、かつ、夏の強い日差しや雨風を居室に入り込みにくくすることができる。
【００１６】
また、通風部と遮光部との境界付近の下部には樋が設けられているので、遮光部に降った雨水等をスムーズに排水することができる。
【００１７】
また、請求項２に記載の発明は上記の通りであり、前記通風部は複数の柱状床材を所定間隔を設けて配置したものであり、前記柱状床材は上部よりも下部の幅が小さく形成されているので、上部と下部の幅が同じ柱状床材を使用した場合よりも採光率を向上させることができる。
【００１８】
また、請求項３に記載の発明は上記の通りであり、通風部または遮光部のいずれかを構成する床材と根太との間にスペーサを設け、通風部と遮光部との上面高さを揃えたので、床材の境目に段差ができず、境目を越えて歩いたときに段差に引っ掛かることを防止することができる。
【図面の簡単な説明】
【００１９】
【図１】バルコニーの平面図である。
【図２】図１におけるＡ−Ａ’断面図である。
【図３】図２におけるＸ部拡大図である。
【図４】図１におけるＢ−Ｂ’断面図である。
【図５】図４におけるＹ部拡大図である。
【図６】図１におけるＣ−Ｃ’断面図である。
【図７】図６におけるＺ部拡大図である。
【図８】バルコニーの採光性を説明する図である。
【図９】変形例１に係るバルコニーの平面図である。
【図１０】変形例２に係るバルコニーの平面図である。
【発明を実施するための形態】
【００２０】
本実施形態に係るバルコニー１０は、建物階上部の窓開口の屋外側に配置されるものであり、図１に示すように、建物躯体４０の側部に張り出して設けられている。
【００２１】
このバルコニー１０は、図１〜７に示すように、建物開口の両側下部から屋外側に突出して設けられる妻梁１５と、建物躯体４０に沿って窓開口の下部に固定される根太掛け１１と、この根太掛け１１の上に固定されて屋外方向に突出する根太１２と、バルコニー１０の屋外側先端において立設する柱１６と、柱１６と柱１６との間に架設される前桁１４と、バルコニー１０の周囲に張り巡らされた面材１３と、バルコニー１０の床面を構成する床材と、を備えて構成される。
【００２２】
妻梁１５は、屋内側の端部が建物躯体４０に固定されるとともに、屋外側の端部が柱１６に固定されて支持されている。この妻梁１５には、図５及び図７に示すように、床材の端部を呑み込み可能な呑み込み部１５ａが側方に向けて開口形成されている。
【００２３】
根太掛け１１は、建物躯体４０に沿って水平方向に取り付けられる部材であり、図６に示すように、妻梁１５と直交するように建物躯体４０に固定されている。この根太掛け１１は、根太１２の端部を載置して固定できるように屋外側に張り出した突出縁部１１ａを備えている。
【００２４】
根太１２は、床材の荷重を下方から支持するための部材であり、屋内側の端部が根太掛け１１に固定されるとともに、屋外側の端部が前桁１４に固定されて支持されている。
【００２５】
柱１６は、地面に立設して設けられている。この柱１６は、バルコニー１０の屋外側先端においてバルコニー１０の荷重を支持している。
【００２６】
前桁１４は、柱１６と柱１６との間に架設されるものであって、両端部がそれぞれ柱１６の対向する面に固定されて支持される。この前桁１４は、バルコニー１０の前面下部を覆うように設けられる。
【００２７】
面材１３は、アルミ製のルーバーフェンスであり、バルコニー１０内への風通しと採光性を確保できるようになっている。なお、本実施形態においてはアルミ製のルーバーフェンスを使用したが、本発明の実施形態としてはこれに限らず、例えば縦格子やパンチング材、その他の面材をアルミ製のルーバーフェンスの代わりに使用してもよい。
【００２８】
ところで、本実施形態に係るバルコニー１０の床面は、図１に示すように、前桁１４側と建物躯体４０側とで異なる床材を用いて形成されており、このように異なる床材を用いることで、前桁１４側には通風可能な通風部２０が配設され、建物躯体４０側には遮光性を備えた遮光部２５が配設されている。
【００２９】
通風部２０は、図３及び図５に示すように、複数の柱状床材２１によって形成されている。この複数の柱状床材２１が所定間隔を設けて配置されることで柱状床材２１の間に間隙が形成され、この間隙によって採光と通風が可能となっている。この柱状床材２１は、図３に示すように、上部２１ａよりも下部２１ｃの幅が小さく形成されており、両側の側面部２１ｂが下方に行くに従って近接する方向に傾斜した形状となっている。このように柱状床材２１の下部２１ｃを小さく形成することで、柱状床材２１の間隙を通りぬける光の量を多くして、デッキ下の採光率を向上させている。
【００３０】
この柱状床材２１は前桁１４と平行に配設されており、言い換えると、根太１２と直交するように配設されている。柱状床材２１を配設する範囲、すなわち通風部２０の範囲においては、根太１２の上面に根太１２の長手方向に沿ってスペーサ２２が設けられている。このスペーサ２２は、柱状床材２１を持ち上げて通風部２０と遮光部２５との上面高さを揃えるためのものであり、図３に示すように、根太１２の上面にネジ３５によって固定されている。そしてこのスペーサ２２の上面に、柱状床材２１がネジ３６によって固定されている。
【００３１】
なお、このスペーサ２２によって柱状床材２１は妻梁１５の呑み込み部１５ａよりも高い位置に持ち上げられており、図５に示すように、柱状床材２１の端部は、呑み込み部１５ａに呑み込まれずに妻梁１５の側面に突き当てられた状態となっている。
【００３２】
遮光部２５は、図３及び図７に示すように、合成樹脂製（又はアルミ製）の細長板状成形体である平面床材２６又は樋付床材２７の上にグレーチング板２８を配置して構成されている。
【００３３】
平面床材２６は、図２及び図３に示すような内部が中空の部材であり、平坦な上面２６ａの上を水が流れることができるように形成されている。また、樋付床材２７は、図３に示すような樋２７ａを備えた部材である。この樋２７ａは、樋付床材２７の上面に長手方向に沿って溝を形成したものであり、上方が開放されている。本実施形態においては、通風部２０に最も近い位置に配置される床材を樋付床材２７とし、他の部分に平面床材２６を使用している。この平面床材２６及び樋付床材２７は、根太１２の上にネジ３７によって固定されており、隣接する床材の間に隙間ができないように互いに係合して配置されている。なお、平面床材２６及び樋付床材２７は遮光性を備えた同一素材で形成されている。
【００３４】
この平面床材２６及び樋付床材２７の上に配置されるグレーチング板２８は、表面が網目状に形成された合成樹脂製の部材であり、雨水等が下方に排水されるようになっている。このため、遮光部２５に降り注いだ雨水等は、グレーチング板２８を通過して平面床材２６又は樋付床材２７の表面を流れる。このように平面床材２６又は樋付床材２７の表面を流れた水は、樋付床材２７の樋２７ａによって集められ、図６に示す導水部３０を通って建物躯体４０側へと導かれ、建物躯体４０に沿って設けられた集水部３１を経て、竪樋３２から外部へと排水される（図２参照）。
【００３５】
なお、グレーチング板２８の通風部２０側の端部は、図３に示すように、柱状床材２１と当接しており、通風部２０と遮光部２５との間に隙間ができないようになっている。本実施形態に係るバルコニー１０においては、このように通風部２０の端部位置と遮光部２５の端部位置とが一致することが基本である。しかしながら、グレーチング板２８の大きさと柱状床材２１の間隔とが丁度合わずに隙間ができてしまう場合には、グレーチング板２８の通風部２０側の端部をスペーサ２２の端部の上にオーバーラップするようにすればよい。これにより通風部２０と遮光部２５との境目がグレーチング板２８によって覆われて隠されるため、隙間がある場合でも通風部２０と遮光部２５とを違和感なく連続させることができ、自然かつシンプルな外観とすることができる。
【００３６】
以上説明したように、本実施形態によれば、床面が通風部２０と遮光部２５とを組み合わせて構成されているため、前桁１４側の通風部２０で適度な採光と通風とを可能とするとともに、建物躯体４０側の遮光部２５で日差しや雨風を防ぐことができる。すなわち、図８に示すように、通風部２０が設けられていることでサイズの大きなバルコニー１０の下であっても通風採光が可能であり、また、遮光部２５が庇として機能するので、デッキ下が暗くなりすぎず、かつ、夏の強い日差しや雨風が入り込みにくくすることができる。
【００３７】
また、通風部２０と遮光部２５との境界付近の下部には樋２７ａが設けられているので、遮光部２５に降った雨水等をスムーズに排水することができる。
【００３８】
また、通風部２０は複数の柱状床材２１を所定間隔を設けて配置したものであり、柱状床材２１は上部２１ａよりも下部２１ｃの幅が小さく形成されているので、上部と下部の幅が同じ柱状床材を使用した場合よりも採光率を向上させることができる。
【００３９】
また、通風部２０を構成する柱状床材２１と根太１２との間にスペーサ２２を設け、通風部２０と遮光部２５との上面高さを揃えたので、床材の境目に段差ができず、境目を越えて歩いたときに段差に引っ掛かることを防止することができる。
【００４０】
なお、通風部２０と遮光部２５との組み合わせは、上記した実施形態に限らず、一階部分の用途等の事情を勘案して任意に設定することが可能である。
【００４１】
例えば、図９に示すように、屋外方向に向いて左右で異なる床材を敷きわけてもよい。具体的には、左右いずれかには屋内外方向全長に渡って通風部２０を設け、他方には屋内外方向全長に渡って遮光部２５を設けてもよい。
【００４２】
また、図１０に示すように、建物躯体４０側の一部に遮光部２５を設け、この遮光部２５の屋外側に通風部２０を設けるとともに、他の部分を通風部２０としてもよい。
【００４３】
また、上記した実施形態においては、通風部２０を柱状床材２１によって形成したが、通風部２０は通風性を確保できる構造であればよい。例えば通風部２０をグレーチング板などで形成してもよい。
【００４４】
また、上記した実施形態においては、柱状床材２１（通風部２０を構成する床材）の下にスペーサ２２を設けて通風部２０と遮光部２５との上面高さを揃えることとしたが、本発明の実施形態としてはこれに限らない。遮光部２５を構成する床材の下にスペーサを設けて通風部２０と遮光部２５との上面高さを揃えてもよい。また、必要であれば、通風部２０を構成する床材の下にスペーサを設けるとともに、遮光部２５を構成する床材の下にもスペーサを設け、通風部２０と遮光部２５との上面高さを揃えてもよい。このとき、通風部２０を構成する床材の下に配置するスペーサと、遮光部２５を構成する床材の下に配置するスペーサとは、床材の高さに合わせて同じスペーサを用いてもよいし、異なるスペーサを用いてもよい。
【符号の説明】
【００４５】
１０  バルコニー
１１  根太掛け
１１ａ  突出縁部
１２  根太
１３  面材
１４  前桁
１５  妻梁
１５ａ  呑み込み部
１６  柱
２０  通風部
２１  柱状床材
２１ａ  上部
２１ｂ  側面部
２１ｃ  下部
２２  スペーサ
２５  遮光部
２６  平面床材
２６ａ  上面
２７  樋付床材
２７ａ  樋
２８  グレーチング板
３０  導水部
３１  集水部
３２  竪樋
３５、３６、３７  ネジ
４０  建物躯体
【図１】
2014070331.tif 000003
【図２】
2014070331.tif 000004
【図３】
2014070331.tif 000005
【図４】
2014070331.tif 000006
【図５】
2014070331.tif 000007
【図６】
2014070331.tif 000008
【図７】
2014070331.tif 000009
【図８】
2014070331.tif 000010
【図９】
2014070331.tif 000011
【図１０】
2014070331.tif 000012